(57)【要約】  不要な部材を追加することなく且つコストを低減しつつ、各光ビーム用の対物レンズが汚濁されることに起因する情報の記録再生における障害の発生を効果的に防止することが可能な光ピックアップ装置を提供する。  光ディスク１３に対する情報の記録又は再生を光ビームＢ又はＤを用いて行う光ピックアップ装置Ｐ１において、ＣＤ／ＤＶＤ用の対物レンズ１２及び高密度光ディスク用の対物レンズ１１であって、光ビームＢの照射により活性化されてその表面を清浄化する清浄化膜が光路上に夫々形成されている対物レンズ１１及び１２と、光ディスク１３により反射された光ビームＢが、対物レンズ１２に照射されるように光ビームＢの光路を設定する制御部１５と、を備える。
2010116455.tif 000002
【特許請求の範囲】
【請求項１】
記録媒体に対する情報の記録又は再生の少なくともいずれか一方を光ビームを用いて行う光ピックアップ装置において、
相互に異なる周波数を有する複数の前記光ビーム夫々に対応する複数の集光手段であって、いずれか一の前記光ビームの照射により活性化されて前記集光手段を清浄化する清浄化膜が光路上に夫々形成されている複数の集光手段と、
前記記録媒体により反射された前記一の光ビームが、当該一の光ビーム以外の他の前記光ビームに対応する前記集光手段である他集光手段に照射されるように当該一の光ビームの光路を設定する設定手段と、
を備えること特徴とする光ピックアップ装置。
【請求項２】
請求項１に記載の光ピックアップ装置において、
前記設定手段は、前記他集光手段による前記他の光ビームの集光動作が実行されているときに、前記記録媒体により反射された前記一の光ビームが前記他集光手段に対して照射されるように前記光路を設定することを特徴とする光ピックアップ装置。
【請求項３】
請求項１又は２に記載の光ピックアップ装置において、
前記一の光ビームを用いて前記少なくともいずれか一方を行う際に、当該一の光ビームに対して予め設定された周波数を有する高調波信号を重畳する重畳手段と、
前記一の光ビームが前記他集光手段に照射される際、前記高調波信号の前記一の光ビームに対する重畳を禁止するように前記重畳手段を制御する重畳制御手段と、
を備えることを特徴とする光ピックアップ装置。
【請求項４】
請求項１から３のいずれか一項に記載の光ピックアップ装置において、
前記情報の前記記録媒体への記録を行うための前記一の光ビームを出射する出射手段と、
前記一の光ビームが前記他集光手段に照射される際、記録用のパワーを備えた前記一の光ビームを出射するように前記出射手段を制御する出射制御手段と、
を備えることを特徴とする光ピックアップ装置。
【請求項５】
請求項１から４のいずれか一項に記載の光ピックアップ装置において、
前記記録媒体により反射された前記一の光ビームが前記他集光手段に照射されるように前記光路を設定する際、前記設定手段は、
前記一の光ビームに対応する前記集光手段と清浄化の対象たる前記他集光手段との間の前記記録媒体に平行な方向の距離をＬg、前記一の光ビームに対応する前記集光手段における有効径をＬb、前記他の光ビームを用いた前記少なくともいずれか一方が行われる前記記録媒体の表面から信号記録面までの厚さをＤd、前記他集光手段の作動距離をＷd、前記一の光ビームに対応する前記集光手段と清浄化の対象たる前記他集光手段との間の前記記録媒体に垂直な方向の距離をＬs、前記一の光ビームに対応する前記集光手段の作動距離をＷb、前記他集光手段の有効径をＬdとするとき、
Ｌg＜〔｛２×（Ｄd＋Ｗd）−Ｌs｝／（２×Ｗb）−（１＋Ｌd／Ｌb）〕×Ｌb
が満たされるように前記光路を設定することを特徴とする光ピックアップ装置。
【発明の詳細な説明】
【技術分野】
【０００１】
本願は、光ピックアップ装置の技術分野に属し、より詳細は、相互に異なる周波数を有する複数の光ビームを用いて記録媒体に対する情報の記録又は再生の少なくともいずれか一方を行う光ピックアップ装置の技術分野に属する。
【背景技術】
【０００２】
一般に、光ビームを用いた光学的な情報の記録再生においては、いわゆる対物レンズを用いて当該光ビームを光ディスク等の記録媒体の信号記録面に集光する必要がある。このとき、特に有機物等からなる膜等が形成されることにより当該対物レンズの表面が汚れていると、その膜等による反射等により上記集光における効率が低下したり、或いは当該光ビーム等の透過率自体が低下したりする。これにより、結果的には記録再生における例えばＳ／Ｎ比の低減等が発生することになる。なお、この有機物等からなる膜は、記録媒体に対面して露出している対物レンズの表面に例えば人の指が触れたり、或いは空気中の埃がその表面に堆積したりすることにより形成される場合が多い。【０００３】
そこで、下記特許文献１には、記録再生用の光ビームが照射されることにより活性化される光触媒膜等の清浄化膜を対物レンズの表面に形成することにより、当該光ビームを用いた記録再生と、清浄化膜による対物レンズの清浄化と、を同時並行的に実行することが開示されている。【０００４】
また、下記特許文献２には、清浄化用の光ビームを出射する出射部と、記録再生用の光ビームを出射する出射部と、を別個に設け、清浄化用の光ビームを記録媒体に反射させて対物レンズに照射することで、記録媒体が装填されている状態でも対物レンズの清浄化を行うことが開示されている。【０００５】
なおこれらの清浄化膜による対物レンズの清浄化は、当該清浄化膜に光ビームが照射されることにより当該清浄化膜が活性化し、これによりその表面に付着した有機物等が二酸化炭素及び水（水分）等に分解されて消失することによるものである。【０００６】
一方、近年では、従来のＣＤ（Compact Disc）やＤＶＤ（Digital Versatile Disc）に加えて、情報の記録容量をより増大させた高密度光ディスクが一般化しつつある。更にこれら複数種類の光ディスクに対して一台の記録再生装置により情報の記録再生が可能な互換性を備えた記録再生装置も開発されている。【０００７】
このとき、当該ＣＤ及びＤＶＤは、いわゆる赤色レーザ光を光ビームとして情報の記録再生が可能であるが、上記高密度光ディスクに対しては、上記赤色レーザ光よりも更に波長が短い青紫レーザ光を用いて情報の記録再生を行う。そして、上記互換性を備えた記録再生装置では、一般に、ＣＤ／ＤＶＤ用の（すなわち赤色レーザ光用の）対物レンズと、高密度光ディスク用の（すなわち青紫色レーザ光用の）対物レンズと、を別個に設け、これらを適宜切り換えることで、ＣＤ又はＤＶＤ或いは高密度光ディスクに対して情報の記録再生を行うこととされている。
【特許文献１】特開２００３−５１１３４公報（例えば第３図）
【特許文献２】国際公開第２００７／１４２０２０公報（例えば第２図）
【発明の開示】
【発明が解決しようとする課題】
【０００８】
これに対し、現状では、上記青紫色レーザ光により活性化される清浄化膜は開発されているが、上記赤色レーザ光により活性化される清浄化膜は、未だ開発されるには至っていない。【０００９】
従って、ＣＤ／ＤＶＤ用の対物レンズを上記清浄化膜と光ビームとの相互作用により清浄化しようとすると、当該清浄化膜が形成されたＣＤ／ＤＶＤ用の対物レンズを清浄化するための青紫レーザ光を出射する出射部を、ＣＤ／ＤＶＤに対する記録再生用の赤色レーザ光を出射する出射部とは別に設ける必要があるという問題点がある。【００１０】
また、当該清浄化のためには、青紫レーザ光の光路を赤色レーザ光の光路と同一化してＣＤ／ＤＶＤ用の対物レンズに当該青紫レーザ光を照射する必要があり、このため不要な光学部品を追加したり光路調整が複雑になるという問題点がある。【００１１】
更に、赤色レーザ光により活性される清浄化膜を新たに開発したとしても、高密度光ディスク用の清浄化膜と、ＣＤ／ＤＶＤ用の清浄化膜と、を夫々別個に形成する必要があり、部品コストの増大又は製造工程の長期化等を招くという問題点がある。【００１２】
そこで、本願は上記の各問題点に鑑みて為されたもので、その課題の一例は、不要な部材を追加することなく且つコストを低減しつつ、各光ビーム用の対物レンズが汚濁されることに起因する情報の記録再生における障害の発生を効果的に防止することが可能な光ピックアップ装置を提供することにある。
【課題を解決するための手段】
【００１３】
上記の課題を解決するために、請求項１に記載の発明は、記録媒体に対する情報の記録又は再生の少なくともいずれか一方を光ビームを用いて行う光ピックアップ装置において、相互に異なる周波数を有する複数の前記光ビーム夫々に対応する対物レンズ等の複数の集光手段であって、いずれか一の前記光ビームの照射により活性化されて前記集光手段を清浄化する光触媒膜等の清浄化膜が光路上に夫々形成されている複数の集光手段と、前記記録媒体により反射された前記一の光ビームが、当該一の光ビーム以外の他の前記光ビームに対応する前記集光手段である他集光手段に照射されるように当該一の光ビームの光路を設定する制御部等の設定手段と、を備える。
【図面の簡単な説明】
【００１４】
【図１】実施形態に係る光ピックアップ装置の構成を示すブロック図である。
【図２】実施形態に係る対物レンズ等の位置関係等を示す図であり、（ａ）は当該位置関係を示す図であり、（ｂ）は当該位置関係に係る範囲を示す図である。
【図３】実施形態に係る高調波重畳信号についての動作点を説明する図である。
【図４】変形形態に係る光ピックアップ装置の構成を示すブロック図である。
【符号の説明】
【００１５】
１，２    出射部
３，４    光検出器
１１、１２    対物レンズ
１１Ａ、１２Ａ    アクチュエータ
１３    光ディスク
１３Ａ    信号記録面
１４    高調波信号重畳部
１５    制御部
１００    高調波信号
Ｐ１、Ｐ２    光ピックアップ装置
【発明を実施するための最良の形態】
【００１６】
次に、本願を実施するための最良の形態について、図面に基づいて説明する。なお、以下に説明する実施形態及び変形形態は、ＣＤ／ＤＶＤに対する記録再生用の対物レンズと、高密度光ディスクに対する記録再生用の対物レンズと、を別個に備えた光ピックアップ装置に対して本願を適用した場合の実施形態及び変形形態である。
（Ｉ）実施形態
初めに、本願に係る実施形態について、図１乃至図３を用いて説明する。なお、図１は実施形態に係る光ピックアップ装置の概要構成を示すブロック図であり、図２は当該光ピックアップ装置における実施形態に係る光路の設定を示す図であり、図３は実施形態に係る高調波重畳信号についての動作点を説明する図である。【００１７】
図１に示すように、実施形態に係る光ピックアップ装置Ｐ１は、半導体レーザ等から夫々なる出射手段としての出射部１及び２と、光検出器３及び４と、ビームスプリッタ５乃至７と、コリメータ８と、ミラー９及び１０と、その表面に光触媒膜等の清浄化膜が形成され且つ高密度光ディスク用の集光手段としての対物レンズ１１と、その表面に光触媒膜等の清浄化膜が形成され且つＣＤ／ＤＶＤ用の集光手段としての対物レンズ１２と、対物レンズ１１に固定されたアクチュエータ１１Ａ及び対物レンズ１２に固定された１２Ａと、重畳手段としての高調波信号重畳部１４と、設定手段、重畳制御手段及び出射制御手段としての制御部１５と、により構成されている。この構成において、対物レンズ１１及び１２の表面に形成されている清浄化膜は、高密度光ディスク用の光ビームＢ（その波長は、例えば４０５ナノメートルとされる）が照射されることにより活性化され、当該対物レンズ１１及び１２の表面を清浄化する機能を有する清浄化膜である。【００１８】
次に動作を説明する。【００１９】
先ず、光ピックアップ装置Ｐ１を用いてＣＤ又はＤＶＤに対して情報の記録再生を行う場合の動作の概要について説明する。なお、ＣＤ又はＤＶＤに対して情報の記録再生を行う場合、高密度光ディスク用の光ビームＢを出射する出射部１は動作しない。【００２０】
ＣＤ又はＤＶＤに対して情報の記録再生を行う場合、先ず高調波信号重畳部１４は、制御部１５からの制御信号Ｓvに基づき、例えば波長６４５ナノメートルを有するＣＤ／ＤＶＤ用の光ビームＤを出射部２から出射させるための駆動信号Ｓvdを生成し、当該出射部２に出射する。このとき高調波信号重畳部１４は、予め設定されている周波数の高調波信号を重畳した上で、駆動信号Ｓvdを生成して出射部２に出射する。この高調波信号は、出射部２を構成する半導体レーザにおけるレーザノイズを低減し、再生ＲＦ（Radio Frequency）信号のＳＮ（Signal/Noise）比を改善するために重畳されるものである。【００２１】
そして、駆動信号Ｓvdに基づいて出射部２から出射されたＣＤ／ＤＶＤ用の光ビームＤは、ビームスプリッタ６及び７を透過し、コリメータ８により平行光とされた上で、ミラー９により反射されて対物レンズ１２に入射する。そして光ビームＤは、当該対物レンズ１２により光ディスク１３（この場合はＣＤ又はＤＶＤのいずれかであることになる）の信号記録面１３Ａにより反射されると共に例えばその偏光面が回転され、再び対物レンズ１２に入射する。その後当該反射光としての光ビームＤは、ミラー９、コリメータ８、ビームスプリッタ７及び６を経由し、今度は当該ビームスプリッタ６の分光面にて反射されて光検出器４の受光面に入射する。これにより、当該光検出器４からは受光した光ビームＤの受光強度に対応した検出信号Ｓddが生成され、制御部１５に出力されると共に、図示しない記録再生部等に出力され、必要な記録再生処理等に供される。【００２２】
なお、光ビームＤを用いた情報の記録再生時において、その信号記録面１３Ａ上の集光位置は、制御部１５からのサーボ信号Ｓadに基づくアクチュエータ１２Ａの動作により、信号記録面１３Ａに平行な方向にトラッキングサーボされ、更に当該信号記録面１３Ａに垂直な方向にフォーカスサーボされる。【００２３】
次に、光ピックアップ装置Ｐ１を用いて高密度光ディスクに対して情報の記録再生を行う場合の動作の概要について説明する。なお、高密度光ディスクに対して情報の記録再生を行う場合、上記出射部２は動作しない。【００２４】
高密度光ディスクに対して情報の記録再生を行う場合、先ず高調波信号重畳部１４は、制御部１５からの制御信号Ｓvに基づき、例えば波長４０５ナノメートルを有する上記高密度光ディスク用の光ビームＢを出射部１から出射させるための駆動信号Ｓvbを生成し、当該出射部１に出射する。このとき高調波信号重畳部１４は、ＣＤ又はＤＶＤに対して情報を記録再生する場合と同様に、予め設定されている周波数の高調波信号を重畳した上で、駆動信号Ｓvbを生成して出射部１に出射する。【００２５】
そして、駆動信号Ｓvbに基づいて出射部１から出射された高密度光ディスク用の光ビームＢは、ビームスプリッタ５を透過し更にビームスプリッタ７により反射され、コリメータ８により平行光とされた上でミラー９を透過し、ミラー１０により反射されて対物レンズ１１に入射する。そして光ビームＢは、当該対物レンズ１１により光ディスク１３（この場合は高密度光ディスクであることになる）の信号記録面１３Ａにより反射されると共に例えばその偏光面が回転され、再び対物レンズ１１に入射する。その後当該反射光としての光ビームＢは、ミラー１０及び９、コリメータ８、ビームスプリッタ７及び５を経由し、今度は当該ビームスプリッタ５の分光面にて反射されて光検出器３の受光面に入射する。これにより、当該光検出器３からは受光した光ビームＢの受光強度に対応した検出信号Ｓdbが生成され、制御部１５に出力されると共に、図示しない記録再生部等に出力され、必要な記録再生処理等に供される。【００２６】
なお、光ビームＢを用いた情報の記録再生時において、その信号記録面１３Ａ上の集光位置は、制御部１５からのサーボ信号Ｓabに基づくアクチュエータ１１Ａの動作により、信号記録面１３Ａに平行な方向にトラッキングサーボされ、更に当該信号記録面１３Ａに垂直な方向にフォーカスサーボされる。【００２７】
次に、実施形態に係る対物レンズ１２の清浄化動作について、図１及び図２を用いて説明する。【００２８】
図１にその概要を示すように、実施形態に係る対物レンズ１２の清浄化動作では、光ディスク１３としてはＣＤ又はＤＶＤが装填され、光ビームＤがその信号記録面１３Ａに照射されることで、必要な情報の記録再生が実行されている。これと並行して制御部１５は、出射部１から光ビームＢを出射させるように高調波信号重畳部１４を制御する。そして高調波信号重畳部１４は、高調波信号を重畳することなく、駆動信号Ｓvbを生成して出射部１に出力する。これにより、当該出射部１から出射された（高調波信号が重畳されていない）光ビームＢは、ビームスプリッタ５及び７、コリメータ８及びミラー９並びにミラー１０を介して対物レンズ１１に照射される。【００２９】
ここで、対物レンズ１２の清浄化動作時は、当該対物レンズ１２に対して対物レンズ１１が図２に示す位置関係となるように、アクチュエータ１１Ａを介して制御部１５により当該対物レンズ１１の位置が制御されている。【００３０】
より具体的には、図２に示すように、対物レンズ１１と対物レンズ１２との間の距離をＬg、対物レンズ１１における有効径をＬb、ＣＤ又はＤＶＤである光ディスク１３の信号記録面１３Ａからその表面までの厚さをＤd、対物レンズ１２の作動距離（いわゆるワーキングディスタンス）をＷd、対物レンズ１１と対物レンズ１２との間の信号記録面１３Ａに垂直な方向の距離をＬs、対物レンズ１１の作動距離をＷb、対物レンズ１２の有効径（実際には、例えば直径３ミリメートル程度）をＬdとするとき、
Ｌg＜〔｛２×（Ｄd＋Ｗd）−Ｌs｝／（２×Ｗb）−（１＋Ｌd／Ｌb）〕×Ｌb  …（１）
が満たされるように、当該対物レンズ１１の対物レンズ１２に対する位置関係がアクチュエータ１１Ａにより制御されている。【００３１】
この位置関係が対物レンズ１２を用いた情報の記録再生中に維持されることにより、対物レンズ１１から出射して信号記録面１３Ａにより反射された光ビームＢが対物レンズ１２の有効径Ｌdの全部に渡って照射される。これは、上記式（１）の関係が満たされることにより、図２に符号Ｈxにより示される距離が「正」となるような位置の範囲（図２（ｂ）においてハッチングにて示す範囲）に対物レンズ１１の位置が制御されることとなり、これにより、当該光ビームＢが対物レンズ１２の有効径Ｌdの全部に渡って照射されるのである。なお、ＣＤ又はＤＶＤの信号記録面１３Ａにより反射された光ビームＢは、当該光ビームＢが信号記録面１３Ａ上に合焦されているわけではないため、拡散光となって対物レンズ１２に照射されることになる。【００３２】
これにより、対物レンズ１２を用いた情報の記録再生中においてその有効径Ｌdの全範囲に渡って光ビームＢが照射され、これにより当該対物レンズ１２の表面に形成されている清浄化膜が活性化され、当該対物レンズ１２が清浄化されることとなる。【００３３】
なおこのとき、光ビームＢを出射部１から出射させるための駆動信号Ｓvbには、上述したように高調波信号が重畳されていない。ここで一般に、高調波信号を重畳した光ビームＢの出射パワーは図３に例示する動作点Ａとなる。一方、出射部１としての定格動作点は動作点Ｃである。そこで、光ビームＢの駆動信号Ｓvbに高調波信号１００を重畳しないことにより、対物レンズ１２の清浄化用の光ビームＢの出射パワーを、通常（高調波信号１００の重畳時）の動作点Ａに相当する出射パワーから、動作点Ｂに相当する出射パワーまで向上させることができることになる。【００３４】
なお、対物レンズ１１自体の清浄化については、高密度光ディスクたる光ディスク１３が装填されて当該光ディスク１３に対する情報の記録再生を通常通りに行うことで、対物レンズ１１の表面に形成されている清浄化膜に光ビームＢが照射されることとなるので、このことにより自動的に当該清浄化も実行されることになる。【００３５】
以上説明したように、実施形態に係る光ピックアップ装置Ｐ１における対物レンズ１２の清浄化動作によれば、光ビームＢの照射により活性化されて対物レンズ１２を清浄化する清浄化膜が当該対物レンズ１２の光路上に形成されており、光ディスク１３により反射された光ビームＢが対物レンズ１２に照射されるように当該光ビームＢの光路が図２に示すように設定されるので、対物レンズ１２の清浄化のための専用の部材を別途追加することなく、対物レンズ１２を光ビームＢを用いて清浄化することができる。【００３６】
また、対物レンズ１１の光路上にも清浄化膜が形成されていることで、当該対物レンズ１１自体も光ビームＢを用いた情報の再生等の際に清浄化することができる。【００３７】
従って、不要な部材を追加することなく且つコストを低減しつつ、対物レンズ１１及び１２が汚濁されることに起因する光学的な情報の記録再生における障害の発生を効果的に防止することができる。【００３８】
また、対物レンズ１２を用いた光ビームＤの集光動作が実行されているときに、光ディスク１３により反射された光ビームＢが対物レンズ１２に対して照射されるように光ビームＢの光路が設定されるので、最も汚れやすいタイミングで対物レンズ１２を清浄化することで、当該対物レンズ１２の汚濁を効果的に防止できる。更に、光ビームＤを用いた情報の再生等と対物レンズ１２の清浄化とを同時に行うことができるので、対物レンズ１２の清浄化のためだけに光ピックアップ装置Ｐ１を駆動させる必要がなくなる。【００３９】
更に、光ビームＢを用いた対物レンズ１２の清浄化の際には光ビームＢに対する高調波信号の重畳を禁止するので、よりパワーの高い光ビームＢを対物レンズ１２に照射することが可能となり、当該対物レンズ１２の清浄化を促進することができる。【００４０】
更にまた、光ビームＢを用いた対物レンズ１２の清浄化を行う際、上記式（１）に示される関係となるように光ビームＢの光路を設定するので、対物レンズ１２における有効径の範囲を効果的に清浄化することができる。【００４１】
なお、上述した実施形態では、対物レンズ１２の清浄化の際に高調波信号を重畳しない光ビームＢを出射させることで清浄化用としての光ビームＢの出射パワーを向上させたが、これ以外に、記録用の高出力の光ビームＢを出射する出射部１を備えさせ、これにより当該清浄化時には高出力の光ビームＢを出射させるように構成することもできる。このとき、高調波信号の重畳を禁止するように高調波信号重畳部１４を制御すれば、より高出力の出射ビームＢを対物レンズ１２に照射できることとなる。【００４２】
この構成によれば、光ビームＢを用いた対物レンズ１２の清浄化の際に、記録用のパワーを備えた当該光ビームＢを出射するので、よりパワーの高い光ビームＢを対物レンズ１２に照射することが可能となり、当該対物レンズ１２の清浄化を促進することができる。
（II）変形形態
次に、本願の変形形態について、図４を用いて説明する。なお図４において、図３に示す部材と同一の部材については、同一の部材番号を付して細部の説明を省略する。【００４３】
本願は、図１を用いて説明した構成を備える光ピックアップ装置Ｐ１の他に、例えば図４に示す構成を備えた変形形態に係る光ピックアップ装置Ｐ２に適用することも可能である。【００４４】
この変形形態に係る光ピックアップ装置Ｐ２では、図４に示すように、先ず高密度光ディスク用の光ビームＢは、出射部１から出射されるとビームスプリッタ２１により反射され、コリメータ８ｂにより平行光とされてミラー２２の反射面２２Ａにより反射され、対物レンズ１１で集光されて光ディスク１３（高密度光ディスクとしての光ディスク１３）の信号記録面１３Ａに照射される。またその反射光は、対物レンズ１１、反射面２２Ａ、コリメータ８ｂを介してビームスプリッタ２１を透過し、光検出器４の受光面に入射する。【００４５】
一方、ＣＤ／ＤＶＤ用の光ビームＤは、出射部２から出射されるとビームスプリッタ２０により反射され、コリメータ８により平行光とされてミラー２２の反射面２２Ｂにより反射され、対物レンズ１２で集光されて光ディスク１３（ＣＤ／ＤＶＤとしての光ディスク１３）の信号記録面１３Ａに照射される。またその反射光は、対物レンズ１２、反射面２２Ｂ、コリメータ８を介してビームスプリッタ２０により反射され、光検出器３の受光面に入射する。【００４６】
このような構成を備える光ピックアップ装置Ｐ２であっても、対物レンズ１２の清浄化時において実施形態に係る光ピックアップ装置Ｐ１と同様の光路を光ビームＢに対して設定することにより、当該光ピックアップ装置Ｐ１と同様に対物レンズ１２の清浄化を行うことができる。【００４７】
また、上記実施形態及び変形形態では、対物レンズとして、二種類の対物レンズ１１及び１２を備える光ピックアップ装置に対して本願を適用した場合について説明したが、これ以外に、高密度光ディスク用の対物レンズ１１を少なくとも含む三種類以上の対物レンズを含む光ピックアップ装置に対して本願を適用することもできる。この場合には、高密度光ディスク用の対物レンズ１１以外の対物レンズを用いた情報の記録再生時において、当該記録再生に用いられている対物レンズの位置に対する対物レンズ１１の位置及び光ビームＢの出射態様を夫々実施形態に係る対物レンズ１１の位置及び光ビームＢの出射態様と同様にすることで、対物レンズ１１以外の対物レンズの表面の清浄化を効果的に実現することができる。【００４８】
更に、上記実施形態及び変形形態では、二種類の対物レンズ１１及び１２をアクチュエータ１１Ａ及び１２Ａにより夫々独立して制御する光ピックアップ装置に対して本願を適用した場合について説明したが、これ以外に、二種類の対物レンズ１１及び１２が一つの支持体に支持されており、その支持体を一つのアクチュエータにより制御する光ピックアップ装置に対して本願を適用することもできる。【００４９】
この場合には、二種類の対物レンズ１１及び１２は、対物レンズ１２を作動距離Ｗdに位置させた際に上記式（１）の関係を満たすような対物レンズ１１と対物レンズ１２との間の距離Ｌg及びＬsをもって、上記一つの支持体に支持される。これにより、部品コストの増大や光ピックアップ装置の大型化を抑えながらも、対物レンズ１２の表面の清浄化を実現することができる。
【図１】
2010116455.tif 000003
【図２】
2010116455.tif 000004
【図３】
2010116455.tif 000005
【図４】
2010116455.tif 000006
【国際調査報告】
2010116455.tif 000007
2010116455.tif 000008
2010116455.tif 000009
2010116455.tif 000010